(57)【特許請求の範囲】
【請求項１】
絶縁体を介して積層された複数の導体層を備えたプリント配線板において、
前記複数の導体層は、
第１の信号配線パターン及び第２の信号配線パターンが形成された第１の導体層と、
前記プリント配線板の一方の表面に位置し、前記第１の信号配線パターンに第１のヴィアを介して電気的に接続され、外部の第１の接続端子に接続される第１のパッドと、前記第２の信号配線パターンに、前記第１のヴィアに隣接する第２のヴィアを介して電気的に接続され、前記第１のパッドと隣接して配置された、外部の第２の接続端子に接続される第２のパッドと、が形成された第２の導体層と、
前記第１の導体層と前記第２の導体層との間に前記絶縁体を介して配置された第３の導体層と、を含んでおり、
前記第３の導体層には、前記第１のヴィアに電気的に接続された第１のヴィアパッドが形成されており、
前記第１のヴィアパッドの一部と前記第２のパッドの一部とは、前記絶縁体を介して互いに対向し、前記一方の表面に垂直な方向から見て重なり合って、容量結合により結合していることを特徴とするプリント配線板。
【請求項２】
前記第１のヴィアパッドは、前記一方の表面に垂直な方向から見て、前記第１のパッドに対向しない形状に形成されていることを特徴とする請求項１に記載のプリント配線板。
【請求項３】
前記第２の導体層には、前記第１のヴィアと前記第１のパッドとを電気的に接続する第３の信号配線パターンが形成されており、
前記第１のヴィアパッドは、前記一方の表面に垂直な方向から見て、前記第３の信号配線パターンに対向しない形状に形成されていることを特徴とする請求項２に記載のプリント配線板。
【請求項４】
前記第３の導体層には、前記第２のヴィアに電気的に接続され、前記第１のヴィアパッドと間隔をあけて配置された第２のヴィアパッドが形成されていることを特徴とする請求項１乃至３のいずれか１項に記載のプリント配線板。
【請求項５】
前記複数の導体層は、
前記第１の導体層と前記第３の導体層との間に前記絶縁体を介して配置された第４の導体層を更に含んでおり、
前記第４の導体層には、前記第２のヴィアに電気的に接続された第２のヴィアパッドが形成され、
前記第１のヴィアパッドの一部と前記第２のヴィアパッドの一部とは、前記絶縁体を介して互いに対向し、前記一方の表面に垂直な方向から見て互いに重なり合って、容量結合により結合していることを特徴とする請求項１乃至３のいずれか１項に記載のプリント配線板。
【請求項６】
請求項１乃至５のいずれか１項に記載のプリント配線板と、
前記プリント配線板に実装され、前記第１の信号配線パターンに接続された第１の信号端子、及び前記第２の信号配線パターンに接続された第２の信号端子を有する半導体素子と、を備えたことを特徴とする半導体パッケージ。
【請求項７】
請求項６に記載の半導体パッケージと、
前記半導体パッケージが実装され、前記第１のパッドが前記第１の接続端子で接続された第１のメイン基板側パッド、及び前記第２のパッドが前記第２の接続端子で接続された第２のメイン基板側パッドを有するメイン基板と、を備えたことを特徴とするプリント回路板。
【発明の詳細な説明】
【技術分野】
【０００１】
本発明は、複数の導体層が絶縁体を介して積層されて形成されたプリント配線板、プリント配線板を備えた半導体パッケージ及び半導体パッケージを備えたプリント回路板に関する。
【背景技術】
【０００２】
電子機器の小型化、高機能化を実現するために、半導体素子が搭載されるプリント配線板においては、配線の高密度化と回路動作の高速化が求められている。高密度化の要求によって、プリント配線板の信号配線同士は近接される傾向にあり、配線層の異なる配線同士を接続するヴィアも穴径を小さくし、狭ピッチ化する傾向にある。
【０００３】
また、半導体パッケージのインターポーザ（プリント配線板）とマザーボード（メイン基板）とをはんだボール等の接続端子で電気的及び物理的に接続して、半導体パッケージをメイン基板に実装したプリント回路板においても、接続端子間を狭ピッチ化している。このように高密度化により配線間距離を短縮するに連れて、信号配線間の電磁結合により発生するクロストークノイズが増大する。
【０００４】
さらに回路動作の高速化によって、信号伝送によって発生する電磁界も高周波化しており、微小な構造物で発生するクロストークノイズも無視できなくなっている。特に、プリント配線板の平面（表面）に沿う平面方向（面内方向）に延びて形成された信号配線パターンに比べて、構造としては小さいが、平面方向に直交する方向（面外方向）の配線であるヴィアや接続端子で発生するクロストークノイズが大きな問題となっている。
【０００５】
そこで、面外方向に延びる配線間に発生するクロストークノイズを低減する方法として、信号ヴィア間にグラウンド電位となるヴィアを隣接配置したものが提案されている（特許文献１参照）。
【先行技術文献】
【特許文献】
【０００６】
【特許文献１】特開２００５−３４０２４７号公報
【発明の概要】
【発明が解決しようとする課題】
【０００７】
上述した従来の構成では、面外方向に延びる配線のうち、プリント配線板中の信号ヴィア間で発生するクロストークノイズを低減することはできる。しかしながら、面外方向に延びる配線のうち、プリント配線板のパッドとメイン基板のパッドとを接続する接続端子間で発生するクロストークノイズを低減することができなかった。したがって、平面方向に直交する方向に延びる配線間のクロストークノイズを低減する対策としては不十分であった。
【０００８】
そこで、本発明は、プリント配線板の平面に沿う平面方向に直交する方向に延びる配線間で発生するクロストークノイズの影響を低減することを目的とするものである。
【課題を解決するための手段】
【０００９】
本発明のプリント配線板は、絶縁体を介して積層された複数の導体層を備えたプリント配線板において、前記複数の導体層は、第１の信号配線パターン及び第２の信号配線パターンが形成された第１の導体層と、前記プリント配線板の一方の表面に位置し、前記第１の信号配線パターンに第１のヴィアを介して電気的に接続され、外部の第１の接続端子に接続される第１のパッドと、前記第２の信号配線パターンに、前記第１のヴィアに隣接する第２のヴィアを介して電気的に接続され、前記第１のパッドと隣接して配置された、外部の第２の接続端子に接続される第２のパッドと、が形成された第２の導体層と、前記第１の導体層と前記第２の導体層との間に前記絶縁体を介して配置された第３の導体層と、を含んでおり、前記第３の導体層には、前記第１のヴィアに電気的に接続された第１のヴィアパッドが形成されており、前記第１のヴィアパッドの一部と前記第２のパッドの一部とは、前記絶縁体を介して互いに対向し、前記一方の表面に垂直な方向から見て重なり合って、容量結合により結合していることを特徴とする。
【発明の効果】
【００１０】
本発明によれば、第１のヴィアパッドの一部と第２のパッドの一部とが絶縁体を介して互いに対向しているので、第１のヴィアを含む信号配線と、第２のヴィアを含む信号配線との間の容量性結合を増加させることができる。これにより、誘導性結合によるノイズ成分と容量性結合によるノイズ成分とが相殺され、その結果、信号配線間に発生するクロストークノイズを低減することができる。
【図面の簡単な説明】
【００１１】
【図１】本発明の第１実施形態に係るプリント回路板の概略構成を示す説明図である。
【図２】本発明の第１実施形態に係るプリント回路板の一部分を示す詳細図であり、（ａ）はプリント回路板の一部の上面図、（ｂ）はプリント回路板の一部の正面図、（ｃ）はプリント回路板の一部の側面図である。
【図３】本発明の第１実施形態に係るプリント回路板に発生するクロストークノイズの電圧を示すグラフである。
【図４】本発明の第１実施形態に係るプリント回路板の他の例の一部分を示す詳細図であり、（ａ）はプリント回路板の一部の上面図、（ｂ）はプリント回路板の一部の正面図、（ｃ）はプリント回路板の一部の側面図である。
【図５】本発明の第２実施形態に係るプリント回路板の一部分を示す詳細図であり、（ａ）はプリント回路板の一部の上面図、（ｂ）はプリント回路板の一部の正面図、（ｃ）はプリント回路板の一部の側面図である。
【図６】本発明の第２実施形態に係るプリント回路板に発生するクロストークノイズの電圧を示すグラフである。
【図７】本発明の第２実施形態に係るプリント回路板の他の例の一部分を示す詳細図であり、（ａ）はプリント回路板の一部の上面図、（ｂ）はプリント回路板の一部の正面図、（ｃ）はプリント回路板の一部の側面図である。
【図８】本発明の第３実施形態に係るプリント回路板の一部分を示す詳細図であり、（ａ）はプリント回路板の一部の上面図、（ｂ）はプリント回路板の一部の正面図、（ｃ）はプリント回路板の一部の側面図である。
【図９】本発明の第３実施形態に係るプリント回路板に発生するクロストークノイズの電圧を示すグラフである。
【図１０】本発明の第４実施形態に係るプリント回路板の一部分を示す詳細図であり、（ａ）はプリント回路板の一部の上面図、（ｂ）はプリント回路板の一部の正面図、（ｃ）はプリント回路板の一部の側面図である。
【図１１】参考例のプリント回路板の一部分を示す詳細図であり、（ａ）はプリント回路板の一部の上面図、（ｂ）はプリント回路板の一部の正面図、（ｃ）はプリント回路板の一部の側面図である。
【発明を実施するための形態】
【００１２】
以下、本発明を実施するための形態を、図面を参照しながら詳細に説明する。
【００１３】
［第１実施形態］
図１は、本発明の第１実施形態に係るプリント回路板の概略構成を示す説明図である。プリント回路板５００は、メイン基板４００と、メイン基板４００に実装された半導体パッケージ３００とを備えている。半導体パッケージ３００は、プリント配線板１００と、プリント配線板１００に実装された半導体素子（半導体チップ）２００とを有している。本第１実施形態の半導体パッケージ３００は、ＢＧＡ（Ｂａｌｌ  Ｇｒｉｄ  Ａｒｒａｙ：ボールグリッドアレイ）パッケージである。メイン基板４００はプリント配線板であり、表層に半導体パッケージ３００が実装される。
【００１４】
半導体パッケージ３００のプリント配線板１００は、一対の基板表面１００ａ，１００ｂを有しているインターポーザである。プリント配線板１００の一方の基板表面１００ａには、半導体素子２００が実装されている。プリント配線板１００の他方の基板表面１００ｂとメイン基板４００の一方の基板表面４００ａとは複数の接続端子、本第１実施形態では複数のはんだボールからなるはんだボール群５５０で接合されている。これにより、プリント配線板１００の信号配線（不図示）とメイン基板４００の信号配線（不図示）との間の信号伝送を行うものである。
【００１５】
半導体素子２００は、複数の信号端子を有しており、各信号端子がプリント配線板１００の一方の基板表面１００ａに形成された信号配線パターンにはんだ等で接合されている。図１では、複数の信号端子のうち、第１の信号端子２０１及び第２の信号端子２０２を図示している。なお、半導体素子２００及びプリント配線板１００の一方の基板表面１００ａは、不図示の封止樹脂で封止されていてもよい。
【００１６】
図２は、本発明の第１実施形態に係るプリント回路板の一部分を示す詳細図であり、図２（ａ）はプリント回路板の一部の上面図、図２（ｂ）はプリント回路板の一部の正面図、図２（ｃ）はプリント回路板の一部の側面図である。
【００１７】
半導体素子２００の第１の信号端子２０１は、図２（ｂ）に示すプリント配線板１００の第１の信号配線１３５を介してメイン基板４００の後述する第１のメイン基板側パッド４０１に接続されている。また、第２の信号端子２０２は、プリント配線板１００の第２の信号配線１３６を介してメイン基板４００の後述する第２のメイン基板側パッド４０２に接続されている。
【００１８】
半導体パッケージ３００のプリント配線板１００は、互いに間隔をあけて配置された第１の導体層１０１、第２の導体層１０２及び第３の導体層１０３と、これら導体層間に介在させた絶縁体（誘電体）１０５とを備えている多層プリント配線板である。第１の導体層１０１は、一方の基板表面１００ａに位置している表層であり、第２の導体層１０２は、他方の基板表面１００ｂに位置している表層である。第３の導体層１０３は、これら第１の導体層１０１と第２の導体層１０２との間に配置された内層である。なお、本第１実施形態では、第２の導体層１０２と第３の導体層１０３との間には、他の導体層が介在しておらず、第２の導体層１０２と第３の導体層１０３とは絶縁体１０５を挟んで対向している。この絶縁体１０５は、空気の比誘電率よりも大きい値の比誘電率を有する誘電体であり、例えば、４．１〜４．８（中位点４．３）の値の比誘電率を有するガラスエポキシ（ガラスクロスにエポキシ樹脂を含浸させた複合材）である。なお、これら導体層１０１〜１０３において、導体パターン以外の部分（穴を除く）は絶縁体１０５で満たされている。
【００１９】
第１の導体層１０１は、基板表面１００ａに沿う平面方向（以下、面内方向という）に延びる導体からなる複数の信号配線パターンが形成された信号配線層である。図２（ａ）では、複数の信号配線パターンのうち、第１の信号配線パターン１１１と、この第１の信号配線パターン１１１に隣接する第２の信号配線パターン１１２とを図示している。そして、第１の信号配線パターン１１１と第２の信号配線パターン１１２とは、表層である第１の導体層１０１において互いに平行に配置されている。
【００２０】
第１及び第２の信号配線パターン１１１，１１２には、半導体素子２００の複数の信号端子のうち、第１及び第２の信号端子２０１，２０２がそれぞれはんだ等で接合されている。これにより、第１及び第２の信号配線パターン１１１，１１２は、第１及び第２の信号端子２０１，２０２にそれぞれ電気的に接続されている。
【００２１】
第２の導体層１０２は、導体からなる複数のパッドがアレイ状に形成された信号配線層であり、図２（ａ）では、第１のパッド１２１とこの第１のパッド１２１に隣接する第２のパッド１２２とを図示している。第１のパッド１２１には、第２の導体層１０２に形成された第３の信号配線パターン１１３が電気的に接続されており、第２のパッド１２２には、第２の導体層１０２に形成された第４の信号配線パターン１１４が電気的に接続されている。
【００２２】
プリント配線板１００には、一方の基板表面１００ａから他方の基板表面１００ｂに平面方向と直交する方向（以下、面外方向という）に延びて貫通する第１のヴィア１３１及び第２のヴィア１３２が形成されている。第１のヴィア１３１の一端は、第１の導体層１０１における第１の信号配線パターン１１１に電気的に接続されており、第１のヴィア１３１の他端は、第２の導体層１０２における第３の信号配線パターン１１３に電気的に接続されている。また、第２のヴィア１３２の一端は、第１の導体層１０１における第２の信号配線パターン１１２に電気的に接続されており、第２のヴィア１３２の他端は、第２の導体層１０２における第４の信号配線パターン１１４に電気的に接続されている。これにより、第１の信号配線パターン１１１は、第１のヴィア１３１を介して他方の基板表面（裏面）１００ｂに引き出された後、第３の信号配線パターン１１３を経て、第１のパッド１２１に接続されている。また、第２の信号配線パターン１１２は、第２のヴィア１３２を介して他方の基板表面（裏面）１００ｂに引き出された後、第４の信号配線パターン１１４を経て、第２のパッド１２２に接続されている。
【００２３】
つまり、プリント配線板１００における第１の信号配線１３５は、第１の信号配線パターン１１１、第１のヴィア１３１、第３の信号配線パターン１１３、及び第１のパッド１２１を有して構成されている。また、プリント配線板１００における第２の信号配線１３６は、第２の信号配線パターン１１２、第２のヴィア１３２、第４の信号配線パターン１１４、及び第２のパッド１２２を有して構成されている。
【００２４】
メイン基板４００の一方の基板表面４００ａには、導体からなる複数のパッド（メイン基板側パッド）が形成されている。図２（ｂ）では、複数のメイン基板側パッドのうち、第１のメイン基板側パッド４０１及び第１のメイン基板側パッド４０１に隣接する第２のメイン基板側パッド４０２が図示されている。なお、第１のメイン基板側パッド４０１には、基板表面４００ａに形成された第１のメイン基板側配線パターン４１１が電気的に接続されている。また、第２のメイン基板側パッド４０２には、基板表面４００ａに形成された第２のメイン基板側配線パターン４１２が電気的に接続されている。
【００２５】
プリント配線板１００の各パッドと、メイン基板４００の各メイン基板側パッドとは、それぞれのはんだボールで電気的に接続されている。図２（ｂ）では、第１のパッド１２１と第１のメイン基板側パッド４０１とが第１の接続端子である第１のはんだボール５５１で電気的に接続されている。また、第２のパッド１２２と第２のメイン基板側パッド４０２とが第２の接続端子である第２のはんだボール５５２で電気的に接続されている。なお、これら接続端子としては、はんだボールに限らず、例えば剛球にはんだの膜を形成したボール、Ｃｕピラー、Ａｕピラー等を用いることが可能である。
【００２６】
本第１実施形態では、第１〜第４の信号配線パターン１１１〜１１４は、面内方向に延びる配線である。また、第１のヴィア１３１及び第１のはんだボール５５１により面外方向に延びる配線（第１の面外配線）１３７が構成され、第２のヴィア１３２及び第２のはんだボール５５２により面外方向に延びる配線（第２の面外配線）１３８が構成されている。また、本第１実施形態では、第３の導体層１０３に第１のヴィア１３１に電気的に接続されたヴィアパッド（第１のヴィアパッド）１４１が形成されている。
【００２７】
以上の構成で、半導体パッケージ３００の半導体素子２００の第１及び第２の信号端子２０１，２０２のそれぞれは、メイン基板４００の第１及び第２のメイン基板側配線パターン４１１，４１２のそれぞれに導通し、信号伝送を行うことが可能となる。
【００２８】
ところで、図１１は、参考例のプリント回路板の一部分を示す詳細図であり、図１１（ａ）はプリント回路板の一部の上面図、図１１（ｂ）はプリント回路板の一部の正面図、図１１（ｃ）はプリント回路板の一部の側面図である。なお、この図１１において、本第１実施形態に係るプリント回路板と同様の構成については、同一符号を付している。本第１実施形態のプリント回路板５００は、ヴィアパッド１４１が形成されている点が、図１１における参考例のプリント回路板と異なる。
【００２９】
本発明者らは、図１１に示す配線構造のうち、構造としては非常に小さいながらも面外方向に延びる配線１３７，１３８間で大きなクロストークノイズが発生することを見出した。
【００３０】
この図１１の構成において、面外方向に延びる第１の面外配線１３７に電気信号である電流が流れると、電磁界的に結合した面外方向に延びる第２の面外配線１３８に起電力、いわゆるクロストークノイズが発生する。
【００３１】
クロストークノイズは、信号配線間の容量性結合によって電界の影響をうけて発生するノイズ成分と、信号配線間の誘導性結合によって磁界の影響をうけて発生するノイズ成分とに分けられる。
【００３２】
信号配線に立ち上がりのステップパルス信号が流れた際、電界の影響をうけて隣接する信号配線に発生するクロストークノイズは正の振幅を持つパルスとして現れる。反対に磁界をうけて隣接する信号配線に発生するクロストークノイズは負の振幅を持つパルスとして現れる。実際には、この電界によってクロストークノイズが発生する現象と磁界によってクロストークノイズが発生する現象は、同時に起こる。そのため、最終的なクロストークノイズは、電界によって発生する正の振幅と磁界によって発生する負の振幅を足し合わせて、それぞれの影響を相殺した振幅となる。
【００３３】
磁界の影響で発生する負の振幅を持ったクロストークノイズは、信号配線間の誘導性結合の大きさに比例する。そして誘導性結合は、信号配線周囲の比透磁率に相関をもつ。また電界の影響で発生する正の振幅を持ったクロストークノイズは、信号配線間の容量性結合の大きさに比例する。そして容量性結合は、信号導体周囲の比誘電率に相関をもつ。
【００３４】
面内方向に延びる信号配線パターン１１１〜１１４は、プリント配線板１００上に構成されたマイクロストリップ構造ないしはストリップライン構造をとる。このとき、面内方向に延びる信号配線パターン１１１〜１１４の周囲の比透磁率は１．０、比誘電率は電子機器に搭載されるプリント配線板として通常用いられるガラスエポキシ基板では４．１〜４．８（中位点４．３）の値をとる。一方、面外方向に延びる面外配線１３７，１３８のうち、はんだボール５５１，５５２の周囲は空気であるため、比透磁率、比誘電率ともに１．０の値をとる。
【００３５】
このように、面外配線１３７，１３８におけるはんだボール５５１，５５２が面内方向に延びる信号配線パターン１１１〜１１４と異なる最大の特徴は、周囲の比誘電率が低く、信号配線間の容量性結合が小さいことである。このような構造であるため、電界の影響を受けて発生するクロストークノイズが小さく、磁界の影響を受けて発生するクロストークノイズが相殺されず、総合すると磁界の影響を主要因とした振幅の大きなクロストークノイズが発生することがわかった。
【００３６】
例えば、単位長さに対して比較すると、面内方向に延びる信号配線パターン１１１〜１１４に比べて面外配線１３７，１３８の方が１０倍程度大きなクロストークノイズが発生する。はんだボールとヴィアとからなる面外配線１３７，１３８の配線長を２ｍｍとすると、面内方向に延びる信号配線に換算して２０〜３０ｍｍ程度の配線と同等のクロストークノイズが発生することがわかった。
【００３７】
そこで、本第１実施形態では、図２（ａ）〜図２（ｃ）に示すように、第３の導体層１０３に、第１のヴィア１３１に電気的に接続したヴィアパッド１４１を配置したものである。このヴィアパッド１４１は、円盤状に形成されている。このヴィアパッド１４１は、基板表面１００ａに垂直な方向から見て、図２（ａ）に示すように、第２のパッド１２２の一部分（対向部分）１２２ａに重なり、第２のパッド１２２の一部分１２２ａに絶縁体１０５を介して対向する対向部分１４１ａを有している。
【００３８】
ヴィアパッド１４１の対向部分１４１ａと第２のパッド１２２の対向部分１２２ａとが、絶縁体１０５を介して対向しているので、互いに隣接した信号配線１３５，１３６間に発生する容量性結合を増加させることができる。つまり、はんだボール５５１，５５２間の容量性結合に、これら対向部分１２２ａ，１４１ａにおける容量性結合が付加されるので、容量性結合を増大させることができる。
【００３９】
この容量性結合に起因するノイズ成分は、誘導性結合に起因するノイズ成分と逆の振幅となるので、誘導性結合に起因するノイズ成分とで相殺し、その結果、全体としてクロストークノイズが低減する。
【００４０】
また、絶縁体１０５は、はんだボール５５１，５５２間を満たしている空気の比誘電率よりも大きい比誘電率を有している。したがって、ヴィアパッド１４１の対向部分１４１ａと第２のパッド１２２の対向部分１２２ａとの間で発生する容量性結合に起因するノイズ成分をより効果的に増大させることができる。
【００４１】
図３は、本発明の第１実施形態に係るプリント回路板に発生するクロストークノイズの電圧を示すグラフである。比較のために、図１１の参考例のプリント回路板に発生するクロストークノイズの電圧も合わせて示す。この図３において、実線は、本第１実施形態のプリント回路板５００におけるクロストークノイズを示し、一点鎖線は、参考例のプリント回路板におけるクロストークノイズを示している。参考例のプリント回路板では、−４０ｍＶ（ピーク値）の振幅を持つクロストークノイズが発生するが、本第１実施形態のプリント回路板５００では、クロストークノイズの振幅を−３５ｍＶ（ピーク値）に低減している。
【００４２】
このように、容量性結合は絶縁体１０５の絶縁材料（例えばガラスクロスにエポキシ樹脂を含浸させた複合材）の比誘電率に影響を受ける。この複合材の比誘電率は４．１〜４．８（中位点４．３）として知られている。はんだボール５５１，５５２での信号間の容量性結合に、この容量性結合を加え電界の影響で発生するノイズ成分を増加させ、磁界の影響によるノイズ成分とで相殺し、最終的に信号配線１３５，１３６間に発生するクロストークノイズを低減することが可能である。
【００４３】
なお、本第１実施形態では、ヴィアパッド（第１のヴィアパッド）１４１が円盤形状である場合について説明したが、この形状に限定するものではなく、第２のパッド１２２と重なる対向部分があればいかなる形状であってもよい。本第１実施形態の他の例のプリント回路板を、図４に示す。図４は、本発明の第１実施形態に係るプリント回路板の他の例の一部分を示す詳細図であり、図４（ａ）はプリント回路板の一部の上面図、図４（ｂ）はプリント回路板の一部の正面図、図４（ｃ）はプリント回路板の一部の側面図である。この図４では、第３の導体層１０３に、平面が四角形状に形成された板状のヴィアパッド１５１が形成されている。このヴィアパッド１５１は、第２のパッド１２２の一部分（対向部分）１２２ｂに対向する対向部分１５１ｂを有している。これによっても、誘導性結合のノイズ成分を相殺する容量性結合のノイズ成分により、クロストークノイズを低減することが可能である。つまり、ヴィアパッドの形状は、第２のパッド１２２に絶縁体１０５を介して対向する部分があれば、円形や四角形の板状のものに限らず、あらゆる形状のものが適用可能である。
【００４４】
［第２実施形態］
次に、本発明の第２実施形態に係るプリント回路板について説明する。図５は、本発明の第２実施形態に係るプリント回路板の一部分を示す詳細図であり、図５（ａ）はプリント回路板の一部の上面図、図５（ｂ）はプリント回路板の一部の正面図、図５（ｃ）はプリント回路板の一部の側面図である。なお、この図５において、上記第１実施形態に係るプリント回路板と同様の構成については、同一符号を付しており、その詳細な説明は省略する。
【００４５】
本第２実施形態では、上記第１実施形態のヴィアパッド１４１（１５１）の代わりに、図５（ｂ）に示すように、第３の導体層１０３に、第１のヴィアに電気的に接続されたヴィアパッド（第１のヴィアパッド）１６１が形成されている。そして、本第２実施形態では、上記第１実施形態と同様に、ヴィアパッド１６１の対向部分１６１ｃと第２のパッド１２２の対向部分１２２ｃとが絶縁体１０５を介して対向している。これにより、上記第１実施形態と同様、互いに隣接した信号配線１３５，１３６間に発生する容量性結合を増加させることができる。この容量性結合に起因するノイズ成分は、誘導性結合に起因するノイズ成分と逆の振幅となるので、誘導性結合に起因するノイズ成分とで相殺し、その結果、全体としてクロストークノイズが低減する。
【００４６】
また、絶縁体１０５は、はんだボール５５１，５５２間を満たしている空気の比誘電率よりも大きい比誘電率を有している。したがって、ヴィアパッド１６１の対向部分１６１ｃと第２のパッド１２２の対向部分１２２ｃとの間に発生する容量性結合をより効果的に増大させることができる。
【００４７】
このヴィアパッド１６１は、基板表面１００ａ（又は基板表面１００ｂ）に垂直な方向から見て、図５（ａ）に示すように、第１のパッド１２１に対向しない形状に形成されている。更に詳細に説明すると、ヴィアパッド１６１は、（又は基板表面１００ｂ）に垂直な方向から見て、図５（ａ）に示すように、第３の信号配線パターン１１３に対向しない形状に形成されている。本第２実施形態では、ヴィアパッド１６１には、第１のパッド１２１及び第３の信号配線パターン１１３に対向する部分に、切欠部１６１ａが形成されている。
【００４８】
信号配線間の電界の影響で発生するクロストークノイズ大きさは、信号配線間の単位長さあたりの容量性結合をＣｍ、信号配線自身の単位長さあたりの容量Ｃｓとすれば、Ｃｍ／Ｃｓに比例する。
【００４９】
ヴィアパッド１６１の対向部分１６１ｃと隣接配線の第２のパッド１２２の対向部分１２２ｃとの間の容量性結合は、容量Ｃｍを増加させることになる。一方、ヴィアパッド１６１において、ヴィアパッド１６１と電気的に接続されている第１のパッド１２１及び第３の信号配線パターン１１３の両方と対向する領域に切欠部１６１ａが形成されているので、信号配線自身の容量Ｃｓを低下させることになる。
【００５０】
そのため、切欠部１６１ａを設けたことにより、切欠部１６１ａがない場合と比較して、Ｃｍ／Ｃｓの分母が小さくなり、電界の影響で発生するクロストークノイズが更に大きくなる。そのため、磁界の影響で発生するクロストークノイズを更に相殺することができ、最終的なクロストークノイズの影響を更に低減することができる。
【００５１】
図６は、本発明の第２実施形態に係るプリント回路板に発生するクロストークノイズの電圧を示すグラフである。比較のために、図１１の参考例のプリント回路板に発生するクロストークノイズの電圧も合わせて示す。また同時に、切欠部１６１ａを形成していない、上記第１実施形態に係るプリント回路板に発生するクロストークノイズの電圧も合わせて示す。
【００５２】
参考例のプリント回路板では、−４０ｍＶ（ピーク値）の振幅を持つクロストークノイズが発生している。そして、上記第１実施形態のプリント回路板では、−３５ｍＶ（ピーク値）にまでクロストークノイズの振幅を低減できる。そして、本第２実施形態のプリント回路板の構成によれば、更に−３０ｍＶ（ピーク値）までクロストークノイズの振幅を低減することができる。
【００５３】
なお、本第２実施形態では、ヴィアパッド（第１のヴィアパッド）１６１に切欠部１６１ａが形成されている場合について説明したが、これに限定するものではない。ヴィアパッドと第１のパッドとが、基板表面１００ａに垂直な方向から見て、対向しておらず、ヴィアパッドと第２のパッドとが対向していれば、ヴィアパッドはいかなる形状であってもよい。
【００５４】
本第２実施形態の他の例のプリント回路板を、図７に示す。図７は、本発明の第２実施形態に係るプリント回路板の他の例の一部分を示す詳細図であり、図７（ａ）はプリント回路板の一部の上面図、図７（ｂ）はプリント回路板の一部の正面図、図７（ｃ）はプリント回路板の一部の側面図である。この図７では、第３の導体層１０３に、平面が楕円形状に形成された板状のヴィアパッド１７１が形成されている。ヴィアパッド１７１の長軸の延びる方向が隣接した信号の第２のパッド１２２に向いている。これにより、ヴィアパッド１７１は、第２のパッド１２２の一部分（対向部分）１２２ｄに対向する対向部分１７１ｄを有している。これによっても、誘導性結合のノイズ成分を相殺する容量性結合のノイズ成分により、クロストークノイズを低減することが可能である。
【００５５】
更に、楕円形状のヴィアパッド１７１の短軸の延びる方向が、自分自身の信号の第１のパッド１２１に向いており、ヴィアパッド１７１は、第１のパッド１２１と対向しない形状となっている。このような楕円形状のヴィアパッド１７１によっても、容量Ｃｓを小さくすることができ、同様の効果を得ることができる。また、例えば第１のパッドが楕円形状であった場合には、ヴィアパッドを円盤形状にしてもよく、ヴィアパッドと第１のパッドとが対向せず、ヴィアパッドと第２のパッドとが対向すれば、これらはいかなる形状であってもよい。また、基板表面１００ａに垂直な方向から見て、ヴィアパッドが第３の配線パターンと対向していない形状であれば更によい。
【００５６】
［第３実施形態］
次に、本発明の第３実施形態に係るプリント回路板について説明する。図８は、本発明の第３実施形態に係るプリント回路板の一部分を示す詳細図であり、図８（ａ）はプリント回路板の一部の上面図、図８（ｂ）はプリント回路板の一部の正面図、図８（ｃ）はプリント回路板の一部の側面図である。なお、この図８において、上記第１実施形態に係るプリント回路板と同様の構成については、同一符号を付しており、その詳細な説明は省略する。
【００５７】
本第３実施形態のプリント回路板では、上記第１実施形態の構成に加え、更に、第３の導体層１０３に形成され、第２のヴィア１３２に電気的に接続された第２のヴィアパッド１４２を有している。この第２のヴィアパッド１４２は、第１のヴィアパッド１４１と同一層に形成されている。この第２のヴィアパッド１４２は、第１のヴィアパッド１４１に隣接し、第１のヴィアパッド１４１と間隔をあけて配置されている。そして、これらヴィアパッド１４１，１４２の端面同士が、絶縁体１０５を挟んで対向している。
【００５８】
なお、本第３実施形態では、上記第１実施形態と同様、基板表面１００ａに垂直な方向から見て、第１のヴィアパッド１４１と第２のパッド１２２とは、互いに対向する対向部分１４１ａ，１２２ａを有している。
【００５９】
以上の構成により、上記第１実施形態と同様、対向部分１４１ａ，１２２ａにより、容量性結合を発生させることができる。更に、本第３実施形態では、内層の同一層に形成された第１のヴィアパッド１４１と第２のヴィアパッド１４２との間にも更に容量性結合を発生させることができる。したがって、本第３実施形態では、誘導性結合によるノイズ成分を更に効果的に容量性結合によるノイズ成分で相殺することができるので、更に効果的にクロストークノイズを低減することが可能である。
【００６０】
図９は、本発明の第３実施形態に係るプリント回路板に発生するクロストークノイズの電圧を示すグラフである。比較のために、図１１の参考例のプリント回路板に発生するクロストークノイズの電圧も合わせて示す。また同時に、上記第１実施形態に係るプリント回路板に発生するクロストークノイズの電圧も合わせて示す。
【００６１】
参考例のプリント回路板では、−４０ｍＶ（ピーク値）の振幅を持つクロストークノイズが発生している。そして、上記第１実施形態のプリント回路板では、−３５ｍＶ（ピーク値）にまでクロストークノイズの振幅を低減できる。そして、本第３実施形態のプリント回路板の構成によれば、更に−３２ｍＶ（ピーク値）までクロストークノイズの振幅を低減することができる。
【００６２】
［第４実施形態］
次に、本発明の第４実施形態に係るプリント回路板について説明する。図１０は、本発明の第４実施形態に係るプリント回路板の一部分を示す詳細図であり、図１０（ａ）はプリント回路板の一部の上面図、図１０（ｂ）はプリント回路板の一部の正面図、図１０（ｃ）はプリント回路板の一部の側面図である。なお、この図１０において、上記第１実施形態に係るプリント回路板と同様の構成については、同一符号を付しており、その詳細な説明は省略する。
【００６３】
本第４実施形態のプリント回路板では、上記第１実施形態の構成に加え、更に、半導体パッケージのプリント配線板１００Ａが、第１の導体層１０１と第３の導体層１０３との間に絶縁体１０５を介在させて配置された第４の導体層１０４を備えている。この第４の導体層１０４には、第２のヴィア１３２に電気的に接続された第２のヴィアパッド１４３が形成されている。
【００６４】
この第２のヴィアパッド１４３は、基板表面１００ａに垂直な方向から見て第１のヴィアパッド１４１の一部分（対向部分）１４１ｅに重なり、第１のヴィアパッド１４１の一部分１４１ｅに絶縁体１０５を介して対向する対向部分１４３ｅを有している。つまり、第１のヴィアパッド１４１の対向部分１４１ｅと第２のヴィアパッド１４３の対向部分１４３ｅとが絶縁体１０５を挟んで対向している。
【００６５】
なお、本第４実施形態では、上記第１実施形態と同様、基板表面１００ａに垂直な方向から見て、第１のヴィアパッド１４１と第２のパッド１２２とは、互いに対向する対向部分１４１ａ，１２２ａを有している。
【００６６】
以上の構成により、上記第１実施形態と同様、対向部分１４１ａ，１２２ａにより、容量性結合を発生させることができる。更に、本第４実施形態では、内層の互いに異なる層に形成された第１のヴィアパッド１４１と第２のヴィアパッド１４３との間にも更に容量性結合を発生させることができる。したがって、本第４実施形態では、誘導性結合によるノイズ成分を更に効果的に容量性結合によるノイズ成分で相殺することができるので、更に効果的にクロストークノイズを低減することが可能である。特に、第１のヴィアパッド１４１と第２のヴィアパッド１４３とを面で対向させているので、これらヴィアパッド１４１，１４３間の容量を大きくすることができ、より効果的にクロストークノイズを低減することができる。
【００６７】
なお、本発明は、以上説明した実施形態に限定されるものではなく、多くの変形が本発明の技術的思想内で当分野において通常の知識を有する者により可能である。
【００６８】
上記第１〜第４実施形態では、半導体パッケージに、メイン基板に実装するための接続端子を接続する場合について説明したが、半導体パッケージがメイン基板に実装するための接続端子を備えている構成の場合についても本発明は適用可能である。
【００６９】
また、ＢＧＡパッケージの場合、第１のパッドのまわりに複数の第２のパッドが配置されているので、第１のヴィアパッドがこれら複数の第２のパッドと重なるように、第１のヴィアパッドと複数の第２のヴィアパッドとを互いに対向させてもよい。これにより、複数の信号配線間のクロストークノイズを低減することが可能である。
【００７０】
また、上記第１〜第４実施形態では、半導体パッケージのプリント配線板において、メイン基板に接続端子で接続するパッドについて説明したが、これに限定するものではない。本発明は、半導体パッケージが、複数のプリント配線板を積層してなる積層型半導体パッケージであって、上下に隣接する各プリント配線板についても適用可能である。
【００７１】
また、上記第１〜第４実施形態では、第１の導体層が表層である場合について説明したが、第１の導体層が内層であってもよい。
【符号の説明】
【００７２】
１００…プリント配線板、１００ａ…基板表面、１０１…第１の導体層、１０２…第２の導体層、１０３…第３の導体層、１０５…絶縁体、１１１…第１の信号配線パターン、１１２…第２の信号配線パターン、１２１…第１のパッド、１２２…第２のパッド、１３１…第１のヴィア、１３２…第２のヴィア、１４１…第１のヴィアパッド、１４１ａ…対向部分、１４２…第２のヴィアパッド、１４３…第２のヴィアパッド、２００…半導体素子、３００…半導体パッケージ、４００…メイン基板、５００…プリント回路板
【図１】
0005904856.tif 000002
【図２】
0005904856.tif 000003
【図３】
0005904856.tif 000004
【図４】
0005904856.tif 000005
【図５】
0005904856.tif 000006
【図６】
0005904856.tif 000007
【図７】
0005904856.tif 000008
【図８】
0005904856.tif 000009
【図９】
0005904856.tif 000010
【図１０】
0005904856.tif 000011
【図１１】
0005904856.tif 000012